(57)【特許請求の範囲】
【請求項１】
フランジを上面側に設けたカップ状容器と、上記カップ状容器の軸心に配置し、下記固定減衰板の透穴を貫通して配置したスタッドと、上記スタッドの上端部と上記カップ状容器の上端部との間を密封する可撓性密封蓋と、この可撓性密封蓋と上記カップ状容器によって形成される液密室内に封入した高粘性液と、上記スタッドの下端に固着すると共に上記高粘性液内に配置し、その外周面は上記カップ状容器の内周面に摺動自在に接し、かつ、その外周面に少なくとも１本の第１液流路を設けた可動減衰板と、上記可撓性密封蓋とこの可動減衰板との間に装着し、中心部に透穴を設け、上記スタッドの外周面との間に形成される第２液流路を設けた固定減衰板と、上記カップ状容器の底面と上記可動減衰板の間に設けたばね部材とから構成し、
上記可撓性密封蓋は、上記スタッドに加硫接着により液密に固着し、上記固定減衰板は、フランジ部および円筒部で構成した取付け部材とこの円筒部を内蔵する減衰部とで構成し、上下方向に所定の厚さを有することを特徴とする液体封入式マウント装置。
【請求項２】
上記可動減衰板の外周部は、高分子弾性部材で形成したことを特徴とする請求項１記載の液体封入式マウント装置。
【請求項３】
上記可撓性密封蓋は、ゴムなどの弾性材料をドーナツ状に成形した蓋部材と、フランジ部および円筒部で構成した取付け部材とから構成し、この可撓性密封蓋のフランジ部と、上記固定減衰板のフランジ部と、上記カップ状容器のフランジ部とを互いに液密に固着したしたことを特徴とする請求項１又は２記載の液体封入式マウント装置。
【請求項４】
上記固定減衰板の透穴の面に少なくとも１個の溝を設け、上記透穴の溝を除いた周面が上記スタッドの外周面に摺動することを特徴とする請求項１乃至３に記載の液体封入式マウント装置。
【請求項５】
上記固定減衰板の透穴の形状は、頭を切った円錐としたことを特徴とする請求項１乃至４に記載の液体封入式マウント装置。
【請求項６】
フランジを上面側に設けたカップ状容器と、上記カップ状容器の軸心に配置し、下記固定減衰板の透穴を貫通して配置したスタッドと、上記スタッドの上端部と上記カップ状容器の上端部との間を密封する可撓性密封蓋と、この可撓性密封蓋と上記カップ状容器によって形成される液密室内に封入した高粘性液と、上記スタッドの下端に固着し、上記高粘性液内に配置し、その外周面は上記カップ状容器の内周面に摺動自在に接し、かつ、その外周面に少なくとも１本の第１液流路を設けた可動減衰板と、上記可撓性密封蓋とこの可動減衰板との間に装着し、中心部に透穴を設け、上記スタッドの外周面との間に形成される第２液流路を設けた固定減衰板と、上記カップ状容器の底面と上記可動減衰板の間に設けたばね部材とから構成し、
上記固定減衰板の透穴の形状は、頭を切った円錐としたことを特徴とする液体封入式マウント装置。
【発明の詳細な説明】
【０００１】
【発明の属する技術分野】
本発明は、可撓性密封蓋とカップ状容器からなる液密容器のシールを確実にし、固定減衰板をこの液密容器内に確実に固定し、しかも、横剛性の強い液体封入式マウント装置に関するものである。
【０００２】
【従来の技術】
横剛性が強く、上下方向のストロークを大きくとることができる従来の液体封入式マウント装置は、その代表的なものとして、例えば、特開平１１−２１０８０７号公報および特開平２０００−２４９１８１号公報が提案されている。
この特開平１１−２１０８０７号「高粘性液封入マウント装置」の構造は、下記の通りである。すなわち、取付け部を設けたカップ状容器と、一端に取付け部を設け、このカップ状容器の軸心に配置したスタッドと、このスタッドの上端部と上記カップ状容器の上端部との間を水密に密封する可撓性密封蓋と、上記カップ状容器とこの可撓性密封蓋によって形成される水密室内に封入した高粘性液と、上記スタッドの他端に固定し、上記水密室に封入された高粘性液内に配置した可動減衰板と、上記可撓性密封蓋とこの可動減衰板との間に固定したドーナツ状の固定減衰板と、上記カップ状容器の底面と上記可動減衰板の間に設けたコイル状ばね部材とから構成し、上記可動減衰板の外周面は、上記カップ状容器の内周面に摺動自在に接し、かつ、その外周面に少なくとも１本の高粘性液通過流路を設けたものである。
この構成の高粘性液封入マウント装置は、横剛性が強く、上下方向のストロークを大きく、しかも大きな減衰が得えられる。
【０００３】
また、特開平２０００−２４９１８１号「高粘性液封入マウント装置」の構造は、下記の通りである。すなわち、上面側に第１の取付け穴を有するフランジを設けると共に上面側の内周面に固定減衰板の下面を位置決めする段部を設けたカップ状容器と、上端に取付け用のねじ穴を設け、このカップ状容器の軸心に配置したスタッドと、ゴムなどの弾性材料で作成し、上記スタッドの上端部に加硫接着して、上記カップ状容器の上端部を液密に封止する可撓性密封蓋と、上記カップ状容器とこの可撓性密封蓋によって形成される液密室内に封入した高粘性液と、上記スタッドの下端に固定し、上記液密室に封入された高粘性液内に配置し、その外周面は上記カップ状容器の内周面に摺動自在に接し、かつ、その外周面に少なくとも１本の高粘性液通過流路を設けた可動減衰板と、上記可撓性密封蓋とこの可動減衰板との間にあって、カップ状容器の段部と位置決め用金具の内周側の端部とによって固定されたドーナツ状の固定減衰板と、上記カップ状容器の底面と上記可動減衰板の間に設けたコイル状ばね部材とを設けたものである。
この構成の高粘性液封入マウント装置は、横剛性が強く、上下方向のストロークを大きく、しかも大きな減衰が得えられる。
【０００４】
【発明が解決しようとする課題】
しかしながら、従来の液体封入式マウント装置、特に、前者の特開平１１−２１０８０７号「高粘性液封入マウント装置」は、可撓性密封蓋の外周面とカップ状容器の内周面との間のシールが不充分であり、高粘性液が漏れ易いこと、固定減衰板の固定が不十分であり、外れ易いこと、固定減衰板が板状のため、充分な減衰が得られないこと、横剛性を可動減衰板の外周面とカップ状容器の内周面の摺接によって得ているか、横剛性が不充分であることなどの問題がある。
また、後者の特開平２０００−２４９１８１号「高粘性液封入マウント装置」は、固定減衰板の固定が不充分であり、外れ易いこと、横剛性を可動減衰板の外周面とカップ状容器の内周面の摺接によって得ているか、横剛性が不充分であることなどの問題がある。
【０００５】
したがって、本発明の目的は、可撓性密封蓋とカップ状容器の間のシールを確実にすることができ、高粘性液が漏れることのない液体封入式マウント装置の提供にある。
本発明の他の目的は、固定減衰板の固定を確実にして、簡単に外れることのない液体封入式マウント装置の提供にある。
本発明の更に他の目的は、固定減衰板による減衰を大きくすることができる液体封入式マウント装置の提供にある。
本発明の更に他の目的は、横剛性を簡単な構成で強化することができる液体封入式マウント装置の提供にある。
本発明の更に他の目的は、外部から斜め横方向の入力により、スタッドが斜め方向負荷を受けて傾いても、減衰を低下することなく、大きな減衰が得られる液体封入式マウント装置の提供にある。
【０００６】
【課題を解決するための手段】
本発明に係る液体封入式マウント装置は、フランジを上面側に設けたカップ状容器と、上記カップ状容器の軸心に配置し、下記固定減衰板の透穴を貫通して配置したスタッドと、上記スタッドの上端部と上記カップ状容器の上端部との間を密封する可撓性密封蓋と、この可撓性密封蓋と上記カップ状容器によって形成される液密室内に封入した高粘性液と、上記スタッドの下端に固着すると共に上記高粘性液内に配置し、その外周面は上記カップ状容器の内周面に摺動自在に接し、かつ、その外周面に少なくとも１本の第１液流路を設けた可動減衰板と、上記可撓性密封蓋とこの可動減衰板との間に装着し、中心部に透穴を設け、上記スタッドの外周面との間に形成される第２液流路を設けた固定減衰板と、上記カップ状容器の底面と上記可動減衰板の間に設けたばね部材とから構成し、上記可撓性密封蓋は、上記スタッドに加硫接着により液密に固着し、上記固定減衰板は、フランジ部および円筒部で構成した取付け部材とこの円筒部を内蔵する減衰部とで構成し、上下方向に所定の厚さを有するものである。
【０００７】
本発明に係る液体封入式マウント装置において、上記可動減衰板の外周部は、高分子弾性部材で形成した請求項１に記載のものである。本発明に係る液体封入式マウント装置において、上記可撓性密封蓋は、ゴムなどの弾性材料をドーナツ状に成形した蓋部材と、フランジ部および円筒部で構成した取付け部材とから構成し、この可撓性密封蓋のフランジ部と、上記固定減衰板のフランジ部と、上記カップ状容器のフランジ部とを互いに液密に固着した請求項１又は２記載のものである。
【０００８】
本発明に係る液体封入式マウント装置において、上記固定減衰板の透穴の面に少なくとも１個の溝を設け、上記透穴の溝を除いた周面が上記スタッドの外周面に摺動することとした請求項１乃至３に記載のものである。本発明に係る液体封入式マウントにおいて、上記固定減衰板の透穴の形状は、頭を切った円錐とした請求項１乃至４に記載のものである。本発明に係る液体封入式マウント装置において、フランジを上面側に設けたカップ状容器と、上記カップ状容器の軸心に配置し、下記固定減衰板の透穴を貫通して配置したスタッドと、上記スタッドの上端部と上記カップ状容器の上端部との間を密封する可撓性密封蓋と、この可撓性密封蓋と上記カップ状容器によって形成される液密室内に封入した高粘性液と、上記スタッドの下端に固着し、上記高粘性液内に配置し、その外周面は上記カップ状容器の内周面に摺動自在に接し、かつ、その外周面に少なくとも１本の第１液流路を設けた可動減衰板と、上記可撓性密封蓋とこの可動減衰板との間に装着し、中心部に透穴を設け、上記スタッドの外周面との間に形成される第２液流路を設けた固定減衰板と、上記カップ状容器の底面と上記可動減衰板の間に設けたばね部材とから構成し、上記固定減衰板の透穴の形状は、頭を切った円錐としたものである。
【０００９】
【発明の実施の形態】
図１は本発明に係る液体封入式マウント装置の一実施例を示す断面図である。図において、１はカップ状容器であり、このカップ状容器１はその上端部にフランジ部１Ａおよび共締め用爪１Ｂを備え、その底部には高粘性液２を注入するための注入穴１Ｃを備えている。なお、１Ｄは上記フランジ部１Ａに設けた取付け穴である。３はスタッドであり、このスタッド３は上記カップ状容器１の軸線に配置し、その上端には取付け用ねじ穴３Ａが設けられ、その下端には可動減衰板４がスプリングワッシャ５およびナット６により固定される。
なお、この可動減衰板４は、上記高粘性液２内に配置され、その外周面は上記カップ状容器１の内周面に摺動自在に接し、かつ、その外周面には、例えば、図２に示すように、上記高粘性液２が通過する１８本の第１液流路４Ａを設ける。また、この可動減衰板４の外周部は、一例として、ゴムなどの高分子材料で作成する。
【００１０】
７は可撓性密封蓋であり、この可撓性密封蓋７は蓋部材８および取付け部９で構成する。この蓋部材８は、一例として、ゴム材料をドーナツ形状に成形したものであり、その中心穴は上記スタッド３の上端部に液密に加硫接着する。また、上記取付け部９は円筒部９Ａおよびフランジ部９Ｂを備えている。なお、この円筒部９Ａはこの蓋部材８の外周側に液密に加硫接着する。また、上記フランジ部９Ｂには取付け用透穴９Ｃを設ける。
１０は固定減衰板であり、この固定減衰板１０はその中心に透穴１０Ａを設け、減衰部１１および取付け部１２から構成し、この透穴１０Ａの面と上記スタッド３の外周面との間が第２液流路として機能する。
【００１１】
なお、上記減衰部１１は、一例として、ゴム材料で所望の厚さに製造したものであり、その中心に上記透穴１０Ａを設ける。また、上記取付け部１２は円筒部１２Ａおよびフランジ部１２Ｂから構成し、この円筒部１２Ａに上記減衰部１１を加硫接着する。また、上記フランジ部１２Ｂに取付け用透穴１２Ｃを設ける。１３はコイルスプリングであり、このコイルスプリング１３は上記カップ状容器１の底部と上記可動減衰板４の間に設ける。１４は栓体であり、この栓体１４は上記カップ状容器１の底部に設けた注入穴１Ｃに液密に嵌め込まれる。
なお、上記カップ状容器１および上記可撓性密封蓋７により液密容器を構成し、この液密容器内に上記高粘性液２が収納される。そして、この高粘性液２を上記液密容器に収納（注入）する場合、カップ状容器１の底部に設けた注入穴１Ｃから行うことができる。
【００１２】
次に、上記構成の液体封入式マウント装置の減衰動作は、上記可動減衰板４が上記カップ状容器１の内周面を摺動したとき、この可動減衰板４の第１液流路を上記高粘性液２が通過することによる減衰と、上記固定減衰板１０の透穴１０Ａの面と上記スタッド３の外周面との間に形成される第２液流路を上記高粘性液２が通過することによる減衰とを加えたものになり、大きな減衰が得られる。
また、上記可動減衰板４の上下方向のストロークは、上記可撓性密封蓋７とコイルスプリング１３により、大きくとることができる。
更に、上記固定減衰板１０の厚さ（上下方向の高さ）を大きくしたので、厚さが薄い固定減衰板、いいかえれば、板厚のみの固定減衰板（従来）による減衰よりも、大きな減衰を得ることができる。
また、上記可撓性密封蓋７の取付け部９の円筒部９Ａおよびこの円筒部９Ａ上の蓋部材８のゴム部により、図示せぬ防振部のストッパとして機能する。
なお、上記実施例では、高粘性液２が通過する１８本の第１液流路４Ａを設けたが、これに限定せず、１本の液流路４Ａでもよいし、複数本を設けてもよいことはもちろんである。
【００１３】
図３は、本発明に係る液体封入式マウント装置の他の実施例を示す断面図である。図において、２０は可撓性密封蓋であり、この可撓性密封蓋２０は積層蓋部２１および取付け部２２から構成する。この積層蓋部２１は、一例として、ゴム材料を円筒状に成形した３個の円筒ゴム２１Ａ〜２１Ｃおよび２個の円筒プレート２１Ｄ，２１Ｅを交互に加硫接着して構成する。なお、この円筒ゴム２１Ａの内周面は上記スタッド３の上端に加硫接着される。
また、上記取付け部２２は円筒部２２Ａおよびフランジ部２２Ｂを備えており、この円筒部２２Ａは上記円筒ゴム２１Ｃに加硫接着する。なお、上記フランジ部２２Ｂには取付け用透穴２２Ｃを設ける。
【００１４】
また、上記構成の可撓性密封蓋２０を上記カップ状容器１の上部に液密に取付ける方法については、図１で説明したと同様であることはもちろんである。
また、上記構成の液体封入式マウント装置の減衰については、図１の構成による減衰と同様に、大きな減衰が得られる。しかも、スタッド３は可撓密封蓋２０（特に、積層蓋部２１）と上記可動減衰板４とにより、離間した２点支持になるので横剛性がさらに強くなり、上記スタッド３が斜め方向負荷を受けても傾かないので滅衰の低下がない。
なお、上記実施例の積層蓋部２１は、３個の円筒ゴムと２個の円筒プレートを交互に積層したが、これに限定せず、Ｎ個の円筒ゴムとＮ−１個の円筒プレートを交互に積層してもよいことはもちろんである。
【００１５】
図４は本発明に係る液体封入式マウント装置の更に他の実施例を示す断面図であり、図５は図４のＢ１−Ｂ２断面を示す図である。図において、２５は摺接形の固定減衰板であり、この摺接形の固定減衰板２５は、減衰部２６および取付け部２７から構成し、その中心部に設けた透穴の一部は上記スタッド３の外周面に摺接する。
特に、減衰部２６は、その内周面に、例えば、図５に示すように、６本の溝２６Ａを設ける。そして、この溝２６Ａを除いた面が上記スタッド３に接触し、このスタッド３が摺動可能になる。この場合、溝２６Ａは第２液流路を形成する。上記構成の液体封入式マウント装置は、上記したように、大きな減衰が得られるうえ、可動減衰板４と固定減衰板２５とにより、離間した２点支持になるので横剛性が強くなり、上記スタッド３が斜め方向負荷を受けても、傾かないので、減衰の低下がなく、横剛性を更に大きくすることができる。
なお、上記取付け部２７は、図１と同様に、円筒部およびフランジ部から構成し、このフランジ部には取付け用透穴をもうける。
【００１６】
図６は本発明に係る液体封入式マウント装置の更に他の実施例を示す断面図である。図において、２８は横剛性用固定減衰板であり、この横剛性用固定減衰板２８は減衰部２９および上記取付け部１２から構成する。
なお、上記減衰部２９は、一例として、ゴム材料で製作し、その中心部には頭を切った円錐穴２９Ａを設ける。また、取付け部１２は、図１に示すように、上記円筒部１２Ａおよびフランジ部１２Ｂから構成する。
また、上記頭を切った円錐穴２９Ａの面とスタッド３の外周面との間は、第２液流路を形成する。
【００１７】
次に、上記構成の液体封入式マウント装置の動作、特に、スタッド３に水平方向の負荷が加わり、スタッド３が傾いた場合の減衰について説明する。
まず、水平方向負荷がスタッド３に加わり、このスタッド３が傾くと、可動減衰板４も傾く。このため、この可動減衰板４による第１液流路が変形して、その減衰が低下する。
一方、スタッド３の傾きにより、横剛性用固定減衰板２８の頭を切った円錐穴２９Ａとスタッド３との間の第２液流路は確保され、所定の減衰を確保することができる。このため、上記第２液流路による減衰が低下せず、総合的な減衰は低下することがない。
【００１８】
図７は本発明に係る液体封入式マウント装置の更に他の実施例を示す断面図であり、特に、上記可撓性密封蓋２０の上記積層蓋部２１および上記横剛性用固定減衰板２８を用いたものである。
上記構成の液体封入式マウント装置は、大きな減衰が得られるうえ、横剛性をさらに強くすることができる。
【００１９】
なお、上記実施例では、上記固定減衰板の減衰部をゴム材料で製造したが、これに限定しないことはもちろんである。
また、上記実施例では、上記カップ状容器の下部側面を絞り、容積を少なくしたが、これに限定しないことはもちろんである。
また、上記実施例では、上記可動減衰板を厚い板状としたが、これに限定せず、逆さカップ状に形成してもよいことはもちろんである。この場合、上記コイルスプリングの一端は、逆さカップ状の内部に入れることはもちろんである。
更に、この逆さカップ状可動減衰板の外周面に少なくとも１本の長溝を設けてもよいことはもちろんである。
【００２０】
また、上記実施例では、ばね部材としてコイルスプリングを用いたが、これに限定せず、円錐コイルスプリングなど、更には、ゴムなどの高分子弾性材料を円筒状に形成したものなど、色々な形式のものを用いることができることはもちろんである。
また、コイルスプリングの線材の断面形状は、丸形を示したが（図１参照）、長方形、正方形などを用いてもよいことはもちろんである。
また、上記実施例では、コイルスプリングの上端部および下端部の位置決めは、凹部を示したが（図１参照）、凸部を用いてもよいことはもちろんである。
【００２１】
また、上記実施例では、可撓性密封蓋は、高粘性液の液圧上昇により変形しない厚さに形成する必要があることはもちろんであるが、布などを入れて、変形に対して強くすることができる。この布を入れた場合、ゴム材を薄くできるため、蓋の厚さを薄くすることができる。
また、上記実施例では、カップ状容器の上端部に設けた共締め用爪を折り曲げることにより、上記カップ状容器のフランジ部、固定減衰板の取付け部のフランジ部および上記可撓性密封蓋の取付け部のフランジ部を液密に一体化した場合を示したが、この共締め用爪を用いることに限定せず、溶接などの手段によって、液密に一体化してもよいことはもちろんである。
【００２２】
また、上記実施例では、上記高粘性液を上記カップ状容器および上記可撓性密封蓋で構成した液密容器に収容（注入）する場合、このカップ状容器の底部に設けた注入穴から行うが、これに限定せず、このカップ状容器の底部に注入穴のほか、液密容器内の空気を抜くための空気穴（図示せず）を設け、液密容器内への高粘性液に注入と液密容器からの空気の排出を同時に行うことにより、注入時間を大幅に短縮することができる。さらに、スタッドの軸方向に透穴を設け、この透穴から高粘性液を注入してもよいことはもちろんである。また、真空雰囲気中で、上記高粘性液をカップ状容器に収納したのち、上記可撓性密封蓋で封してもよいことはもちろんである。
【００２３】
【発明の効果】
以上詳細に説明したように、本発明に係る液体封入式マウント装置によれば、可撓性密封蓋とカップ状容器から構成する液密容器を確実にシールでき、高粘性液が漏れることがないこと、固定減衰板の固定を確実にでき、簡単に外れることがないこと、固定減衰板による減衰を大きくできること、横剛性を簡単な構成で強化できること、外部から斜め横方向の入力により、スタッドが斜め方向負荷を受けて傾いても、減衰を低下することなく、大きな減衰が得られること、などの効果がある。
【図面の簡単な説明】
【図１】本発明に係る液体封入式マウント装置の一実施例を示す断面図である。
【図２】図１のＡ１−Ａ２断面を示す図である。
【図３】本発明に係る液体封入式マウント装置の他の実施例を示す断面図である。
【図４】本発明に係る液体封入式マウント装置の更に他の実施例を示す断面図である。
【図５】図４のＢ１−Ｂ２断面を示す図である。
【図６】本発明に係る液体封入式マウント装置の更に他の実施例を示す断面図である。
【図７】本発明に係る液体封入式マウント装置の更に他の実施例を示す断面図である。
【符号の説明】
１・・・カップ状容器
１Ａ・・・フランジ部
１Ｂ・・・共締め用爪
１Ｃ・・・注入穴
１Ｄ・・・取付け穴
２・・・高粘性液
３・・・スタッド
４・・・可動減衰板
４Ａ・・・溝
５・・・スプリングワッシヤ
６・・・ナット
７・・・可撓性密封蓋
８・・・蓋部材
９・・・取付け部
９Ａ・・・円筒部
９Ｂ・・・フランジ部
１０・・・固定減衰板
１０Ａ・・・透穴
１１・・・減衰部
１２・・・取付け部
１２Ａ・・・円筒部
１２Ｂ・・・フランジ部
１３・・・コイルスプリング
１４・・・栓体
２０・・・可撓性密封蓋
２１・・・積層蓋部
２１Ａ〜２１Ｃ・・・円筒ゴム
２１Ｄ，２１Ｅ・・・円筒プレート
２２・・・取付け部
２２Ａ・・・円筒部
２２Ｂ・・・フランジ部
２２Ｃ・・・取付け用透穴
２５・・・摺動式固定減衰板
２６・・・減衰部
２６Ａ・・溝
２７・・・取付け部
２８・・・横剛性用固定減衰板
２９・・・減衰部
２９Ａ・・・頭を切った円錐穴
【図１】
0004257997.tif 000002
【図２】
0004257997.tif 000003
【図３】
0004257997.tif 000004
【図４】
0004257997.tif 000005
【図５】
0004257997.tif 000006
【図６】
0004257997.tif 000007
【図７】
0004257997.tif 000008